(57)【特許請求の範囲】
【請求項１】
選別装置または選別装置を備えた籾摺機の排塵口に接続して、その排塵口から排風とともに排出される籾殻を分離して収集する籾殻回収装置であって、
排風を導入して旋回させながら籾殻を分離する分離器と、この分離器に接続して籾殻を揚上搬送する搬送機とを備えており、
上記分離器と搬送機とは気密状に接続するとともに、搬送機の籾殻の搬出口に気密状の籾殻収集袋などの収集容器を密封状に装着して、分離器から搬送機を経て収集容器に至りかつ収集容器を含めた空間を外気に通じた風路が形成されない密閉空間としたこと
を特徴とする籾殻回収装置。
【請求項２】
選別装置または選別装置を備えた籾摺機の排塵口に接続して、その排塵口から排風とともに排出される籾殻を分離して収集する籾殻回収装置であって、
排風を導入して旋回させながら籾殻を分離するサイクロンを構成する円錐筒体と、この円錐筒体の下端開口に基端を接続して籾殻を揚上搬送するスクリューコンベアとを備えており、
上記サイクロンとスクリューコンベアとは気密状に接続するとともに、スクリューコンベアの籾殻搬出口に気密状の収集袋などの収集容器を密封状に装着して、サイクロンからスクリューコンベアを経て収集容器に至りかつ収集容器を含めた空間を外気に通じた風路が形成されない密閉空間としたこと
を特徴とする籾殻回収装置。
【請求項３】
スクリューコンベアは、サイクロンを構成する円錐筒体の周面に沿わせて傾斜状に設け、その傾斜上端側から籾殻を収集容器に収集するように構成したことを特徴とする請求項２記載の籾殻回収装置。
【請求項４】
スクリューコンベアは、円錐筒体の下端側を基点として傾斜角調節可能に構成したことを特徴とする請求項２記載の籾殻回収装置。
【請求項５】
スクリューコンベアは、サイクロンを構成する円錐筒体の下端を軸心として水平方向に所要角度ないし３６０度方向変更自在に構成したことを特徴とする請求項２、３または４記載の籾殻回収装置。
【請求項６】
スクリューコンベアは、円錐筒体の周面に接して傾斜状に設けたことを特徴とする請求項２記載の籾殻回収装置。
【請求項７】
分離器は、略水平に配置された円筒体で構成され、この円筒体の一端上部に排風導入口を設け、かつ円筒体の内周面下部に籾殻の排出口を設けて成り、上記分離器の排出口に搬送機を気密状に接続したことを特徴とする請求項１記載の籾殻回収装置。
【請求項８】
円筒体の内周面下部に設けた籾殻排出口は、円筒体の略全長にわたって開口していることを特徴とする請求項７記載の籾殻回収装置。
【請求項９】
略水平に配置された円筒体で構成された分離器は、その一端面の軸芯部が排風口を成していて、排風口には室外に至る延長ダクトを接続したことを特徴とする請求項１または７記載の籾殻回収装置。
【請求項１０】
サイクロンを構成する円錐筒体の上面に設けた排風口には、室外に至る延長ダクトを接続したことを特徴とする請求項２記載の籾殻回収装置。
【発明の詳細な説明】
【０００１】
【発明の属する技術分野】
本発明は、選別装置または選別装置を備えた籾摺機の排塵口に接続して、その排塵口から排風とともに排出される籾殻を分離して収集する籾殻回収装置に関する。
【０００２】
【従来の技術】
籾摺機には、籾摺装置と選別装置を別々にしたもの、あるいは籾摺装置と選別装置を一体に構成したものがあるが、籾殻や粃などは、選別装置または選別装置を備えた籾摺機の排塵口から排風とともに排出されるので、籾摺り作業による周辺の環境悪化を避けるため、排出される籾殻は収集袋によって回収することが望まれている。そして、従来からサイクロンにより排風中の籾殻を分離して収集袋に収集する籾殻回収装置が提案されている（実開昭６３−２５１４７号公報参照）。
【０００３】
ところで、実開昭６３−２５１４７号公報に示すように、従来のサイクロンによる籾殻回収装置にあっては、サイクロンで分離した籾殻をその下端部から水平に設けたスクリューコンベアで搬出して収集袋に回収する構成となっているので、スクリューコンベアは収集袋に籾殻の収集高さを確保するうえから、必然的に収集袋の深さ分を超える高さを要するばかりでなく、スクリューコンベアに下端部を接続するサイクロンの設置位置はさらに高くならざるを得ないものである。
【０００４】
【発明が解決しようとする課題】
このため、サイクロンの排風導入位置が、選別装置または籾摺機の排風口から高くなり過ぎて、選別装置または籾摺機の排風口とサイクロンとの接続が容易でないばかりでなく、また両者間を必然的に曲管により接続するところから、その部分における排風の流通抵抗が大きくなってしまい、サイクロンに流入する排風の風力が減退して籾殻の分離能力が低下することは避けられないのが実情である。また、スクリューコンベアがサイクロンの下端部から水平に張り出しているので、籾殻回収装置の設置に広い場所を要することも問題である。
【０００５】
そこで、本発明者は、サイクロンを構成する円錐筒体の周面に沿わせてスクリューコンベアを傾斜状に設け、その傾斜上端側から籾殻を収集袋などに収集するように構成することにより、スクリューコンベアの傾斜上端側に収集袋に籾殻を収集するうえで十分な高さを確保でき、しかも、サイクロンの排風導入位置を選別装置または籾摺機の排風口の高さとつり合うようにしてその両者間の接続を容易にするとともに、その部分の流通抵抗を小さくしてサイクロンにおける籾殻の分離能力を高く保持することができる籾殻回収装置を既に提案している（特願平１０−２６４１０８号）。
【０００６】
本発明者が先に提案した籾殻回収装置は、図８および図９に示す構成のもので、所期の技術的成果を十分に期待できるものであるが、その後の研究の結果、サイクロンからスクリューコンベアを通ってその籾殻の搬出口に至る風路が形成されて外気に通じていることから、この風路にもサイクロンに向けた吸引空気流が生じ、これが籾殻の搬送を妨げたりサイクロンにおける分離効果を低下させる原因となることが判明した。
【０００７】
図８および図９において、ａは籾摺機、ｂはサイクロン、ｃはスクリューコンベア、ｄは籾殻収集袋（容器）であり、サイクロンｂには籾摺機ａの排風口ｅがダクトで接続され、サイクロンｂの籾殻落下口ｆにスクリューコンベアｃが接続され、サイクロンｂの排風口ｇはダクトを介して外気に通じている。図中、黒塗りつぶし矢印は籾殻の流れ、白抜き矢印は空気の流れを示す。
【０００８】
本発明は、前記のようにその後に判明した問題点の解消を図るものであって、分離器（サイクロン）と搬送機（スクリューコンベア）とは気密状に接続するとともに、搬送機の籾殻の搬出口に気密状の籾殻収集袋などの収集容器を密封状に装着して、分離器から搬送機を経て収集容器に至りかつ収集容器を含めた空間を外気に通じた風路が形成されない密閉空間としたことにより、搬送機内に吸引空気流が生じないようにし、搬送機による籾殻の搬送に滞りが起こらず、分離器における分離効果を向上させることができる籾殻回収装置を提供するものである。
【０００９】
【課題を解決するための手段】
上記目的を達成するため、本発明は次のように構成した、すなわち、本発明の請求項１に係る籾殻回収装置は、選別装置または選別装置を備えた籾摺機の排塵口に接続して、その排塵口から排風とともに排出される籾殻を分離して収集する籾殻回収装置であって、排風を導入して旋回させながら籾殻を分離する分離器と、この分離器に接続して籾殻を揚上搬送する搬送機とを備えており、上記分離器と搬送機とは気密状に接続するとともに、搬送機の籾殻の搬出口に気密状の籾殻収集袋などの収集容器を密封状に装着して、分離器から搬送機を経て収集容器に至りかつ収集容器を含めた空間を外気に通じた風路が形成されない密閉空間としたことを特徴とするものである。
【００１０】
また、本発明の請求項２に係る籾殻回収装置は、選別装置または選別装置を備えた籾摺機の排塵口に接続して、その排塵口から排風とともに排出される籾殻を分離して収集する籾殻回収装置であって、排風を導入して旋回させながら籾殻を分離するサイクロンを構成する円錐筒体と、この円錐筒体の下端開口に基端を接続して籾殻を揚上搬送するスクリューコンベアとを備えており、上記サイクロンとスクリューコンベアとは気密状に接続するとともに、スクリューコンベアの籾殻搬出口に気密状の収集袋などの収集容器を密封状に装着して、サイクロンからスクリューコンベアを経て収集容器に至りかつ収集容器を含めた空間を外気に通じた風路が形成されない密閉空間としたことを特徴とするものである。
【００１１】
本発明の請求項３に係る籾殻回収装置は、請求項１の構成において、スクリューコンベアは、サイクロンを構成する円錐筒体の周面に沿わせて傾斜状に設け、その傾斜上端側から籾殻を収集容器に収集するように構成したことを特徴とするものである。
【００１２】
本発明の請求項４に係る発明は、スクリューコンベアは、請求項２の構成において、円錐筒体の下端側を基点として傾斜角調節可能に構成したことを特徴とするものである。
【００１３】
本発明の請求項５に係る発明は、請求項２、３または４の構成において、スクリューコンベアは、サイクロンを構成する円錐筒体の下端を軸心として水平方向に所要角度ないし３６０度方向変更自在に構成したことを特徴とするものである。
【００１４】
本発明の請求項６に係る発明は、請求項２の構成において、スクリューコンベアは、円錐筒体の周面に接して傾斜状に設けたことを特徴とするものである。
【００１５】
本発明の請求項７に係る発明は、請求項１の構成において、分離器は、略水平に配置された円筒体で構成され、この円筒体の一端上部に排風の導入口を設け、かつ円筒体の内周面下部に籾殻の排出口を設けて成り、上記分離器の排出口に搬送機を気密状に接続したことを特徴とするものである。
【００１６】
本発明の請求項８に係る発明は、請求項７の構成において、円筒体の内周面下部に設けた籾殻の排出口は、円筒体の略全長にわたって開口していることを特徴とするものである。
【００１７】
本発明の請求項９に係る発明は、請求項１または７の構成において、略水平に配置された円筒体で構成された分離器は、その一端面の軸芯部が排風口を成していて、排風口には室外に至る延長ダクトを接続したことを特徴とするものである。
【００１８】
本発明の請求項１０に係る発明は、請求項２の構成において、サイクロンを構成する円錐筒体の上面に設けた排風口には、室外に至る延長ダクトを接続したことを特徴とするものである。
【００１９】
なお、本発明において、籾殻とは、籾殻のほか、粃、藁屑その他の塵埃であって選別装置または選別装置を備えた籾摺機の排風口から排風にともなって排出されるものも含む概念である。
【００２０】
【発明の実施の形態】
図１は本発明に係る籾殻回収装置の第１の実施の形態を示す全体斜視図、図２は図１に示す籾殻回収装置を籾摺機に接続した態様を示す断面図、図３は第２の実施の形態を示す全体斜視図、図４は図３に示す籾殻回収装置を籾摺機に接続した態様を示す斜視図、図５は図１に示す籾殻回収装置を籾摺機に接続した態様を示す斜視図、図６は籾殻収集袋の装着構造を示す断面図、図７は籾殻収集袋の装着構造の他例を示す断面図である。
【００２１】
図１および図２において、１は籾殻回収装置である。この籾殻回収装置１は、サイクロン２とスクリューコンベア３を備えて構成されており、サイクロン２は円錐筒体４とその上端側に接続された円筒状の旋回部５とで構成されている。そして、旋回部５には、接線方向に排風を導入する排風導入口６が接続されており、旋回部５の閉じた上端面には筒状の排風口７が設けられている。
【００２２】
サイクロン２を構成する円錐筒体２の下端は籾殻落下口８となっており、スクリューコンベア３は、その基端側が上記籾殻落下口８に接続され、かつ傾斜状に設けられている。上記スクリューコンベア３の傾斜上端側は籾殻排出口９となっており、図１に示す実施の形態おいては、籾殻排出口９は２つに分岐されていて、収集袋を同時に２つ装着できるようになっている。１０は収集袋装着部である。１１は籾摺機であって、その排塵口１２はダクト１３によりサイクロン２の排風導入口６に接続されている。サイクロン２の排風口７には延長ダクト１４を接続して室外で開口させている。
【００２３】
スクリューコンベア３は、サイクロン２を構成する円錐筒体４の下端側を基点として傾斜角を調節可能に構成することができ、スクリューコンベア３は、サイクロン２を構成する円錐筒体４の下端を軸心として水平方向に所要角度ないし３６０度方向変更自在に構成することもできる。また、スクリューコンベア３は、円錐筒体４の周面に接して傾斜状に設けるとよい。
【００２４】
サイクロン２の籾殻落下口８とスクリューコンベア３の基端側とは気密を保つように接続されている。また、スクリューコンベア３の籾殻排出口９には、図６または図７に示すように、その収集袋装着部１０に籾殻収集袋１５が密閉装着具１６により気密を保つように装着する。図６に示す密閉装着具１６は籾殻収集袋１５の開口端部を収集袋装着部１０に圧着保持するバンド状を成し、図７に示す密閉装着具１６はパッキン１７を介在させた締付機能を備えたものである。なお、籾殻収集袋１５は気密状のポリエチレン袋であるが、袋に代えて気密状の容器であってもよい。
【００２５】
上記のように、サイクロン２とスクリューコンベア３とは気密を保っており、かつスクリューコンベア３の籾殻排出口９には気密状の籾殻収集袋１５を気密を保持するように装着するので、サイクロン２からスクリューコンベア３を経て籾殻収集袋１５に至る籾殻回収経路および籾殻収集袋１５を含めた空間には外気に通じた風路が形成されない。このため、スクリューコンベア３の籾殻排出口９からサイクロン２への吸引空気流が生じないので、スクリューコンベア３による籾殻の搬送が滞らず、またサイクロン２における分離効率を向上させることができる。
【００２６】
本発明に係る籾殻回収装置１は、図３に示すように構成することができる。すなわち、前記実施の形態においてサイクロン２に相当する分離器２ａは、略水平に配置された円筒体４ａで構成され、この円筒体４ａの一端上部に、籾摺機の排塵口に接続する排風送入口６を設け、かつ円筒体４ａの内周面下部に籾殻排出口８ａを設けており、分離器２ａの籾殻排出口８ａに搬送機（スクリューコンベア）３を気密状に接続している。円筒体４ａの内周面下部に設けた籾殻排出口８ａは、円筒体４ａの略全長にわたって開口している。
【００２７】
図３に示すように、略水平に配置された円筒体４ａで構成された分離器２ａは、その一端面の軸芯部が排風口７ａを成している。この排風口７ａには、図４に示すように、室外に至る延長ダクト１４を接続して、分離器２ａの排風を室外に出して作業環境を良好に保つようにするのが好ましい。
【００２８】
なお、図５に示すように、図１および図２に示すものにおいても、サイクロン２を構成する円錐筒体４の上面に設けた排風口７に、室外に至る延長ダクト１４を接続して、図４に示す実施の形態と同様に、サイクロン２の排風を室外に出して作業環境を良好に保つようにするのがよい。
【００２９】
【発明の効果】
本発明によれば、分離器（サイクロン）と搬送機（スクリューコンベア）とは気密状に接続するとともに、搬送機の籾殻の搬出口に気密収集袋などの気密収集容器を密封状に装着して、分離器から搬送機を経て気密状の収集容器に至りかつ収集容器を含めた空間を外気に通じた風路が形成されない密閉空間としたことにより、搬送機内に吸引空気流が生じないようにし、搬送機による籾殻の搬送に滞りが起こらず、分離器における分離効果を向上させることができる籾殻回収装置を提供することができる。
【図面の簡単な説明】
【図１】  本発明に係る籾殻回収装置の第１の実施の形態を示す全体斜視図である。
【図２】  図１に示す籾殻回収装置を籾摺機に接続した態様を示す断面図である。
【図３】  第２の実施の形態を示す全体斜視図である。
【図４】  図３に示す籾殻回収装置を籾摺機に接続した態様を示す斜視図である。
【図５】  図１に示す籾殻回収装置を籾摺機に接続した態様を示す斜視図である。
【図６】  籾殻収集袋の装着構造を示す断面図である。
【図７】  籾殻収集袋の装着構造の他例を示す断面図である。
【図８】  前出願（特願平１０−２６４１０８号）の実施の形態を示す断面図である。
【図９】  前出願（特願平１０−２６４１０８号）の実施の形態を示す断面図である。
【符号の説明】
１  籾殻回収装置
２  サイクロン
３  スクリューコンベア
４  円錐筒体
５  旋回部
６  排風導入口
７  排風口
８  籾殻落下口
９  籾殻排出口
１０  収集袋装着部
１１  籾摺機
１２  排塵口
１３  ダクト
１４  延長ダクト
１５  籾殻収集袋
１６  密閉装着具
１７  パッキン
【図１】
0004315265.tif 000002
【図２】
0004315265.tif 000003
【図３】
0004315265.tif 000004
【図４】
0004315265.tif 000005
【図５】
0004315265.tif 000006
【図６】
0004315265.tif 000007
【図７】
0004315265.tif 000008
【図８】
0004315265.tif 000009
【図９】
0004315265.tif 000010